(57)【要約】【課題】産業廃棄物処理においては１廃棄物多量廃棄、即ち、１日における同一廃棄物複数取引のケースも多いが、電子マニフェスト（以下電子Ｍという）は１取引毎の排出事業者登録が原則で情報処理量が増大し運用上のネックになっている。【解決手段】１枚の伝票に複数の取引が記載できるように設計し、パターン番号・廃棄物種類コード・号車ＮＯ・車両巡回ＮＯを連結し１品目多量排出巡回用コードを生成、あるいは、パターン番号・廃棄物の種類コード・編隊ＮＯ・号車ＮＯを連結し１品目多量排出編隊用コードを生成し、生成したコードをキーに同一廃棄物複数取引データを単品データ化し情報処理の省力化を実現するように構成する。【選択図】図１
2011242886.tif 000002
【特許請求の範囲】
【請求項１】
１日における同一廃棄物特に汚泥、解体等の多量排出、複数回取引において、１枚の汚泥、解体向け電子Ｍ／ＣＳＶ登録用ＯＣＲパターン伝票の［図１］に、号車ＮＯの１巡回毎のデータを記入するか、［図２］に、１編隊を編成した号車ＮＯ毎のデータを記入させ、記入した伝票をＯＣＲで読取りＣＳＶデータに変換、変換したＣＳＶデータを、通信ネットワークを介して電子Ｍ／Ｗｅｂ版のＣＳＶ登録により登録するか、あるいは、変換したＣＳＶデータを、通信ネットワークを介して電子Ｍ／ＥＤＩ版により電子Ｍコンピュータへの加入者登録を行うことを特徴とする、汚泥、解体向けの１品目多量排出用電子Ｍ登録処理システム。
【発明の詳細な説明】
【技術分野】
【０００１】
本発明は、産業廃棄物処理における汚泥、解体向けの１品目多量排出用の電子Ｍ／ＣＳＶ登録用ＯＣＲパターン伝票に関するものである。
【背景技術】
【０００２】
廃棄物の処理及び清掃に関する法律の第13条の２に基づき設立、運用されている財団法人日本産業廃棄物処理振興センター（以下ＪＷＮＥＴという）の電子マニフェスト（以下電子Ｍという）システムは電子Ｍの加入者である排出事業者の端末と、産業廃棄物処理業者の端末が電子Ｍコンピュータに通信ネットワークを介して接続されるコンピュータ通信ネットワークを構築し、産業廃棄物の情報処理データを登録、報告している。
【０００３】
しかし、電子Ｍのパソコンによる設定、登録、報告等の業務処理が複雑で産業廃棄物処理業界では運用が難しいという欠点があった。
【０００４】
産業廃棄物の情報処理データを近年普及が進んでいるＡＳＰ（アプリケーション・サービスプロバイダー）の電子ＭのＥＤＩ方式により登録、報告するシステムにおいて、この欠点は解決されそうに見えたが排出事業者、産業廃棄物処理業者双方の導入時の費用負担が膨大で、システム維持管理費も高額でなかなか普及しないと言う問題があり、解決策が待たれるところである。
【０００５】
この解決策として、１伝票複数品目記載の電子Ｍ／ＣＳＶ登録用ＯＣＲパターン伝票を開発し電子Ｍの普及に取り組んでいるところであるが、１日における同一廃棄物特に汚泥、解体等に関する産業廃棄物処理業者との複数回取引においては該伝票では回数分の伝票が必要で作業上の難点である。
【先行技術文献】
【特許文献】
【０００６】
【特許文献１】特開２００５‐３１００７５号公報。
【特許文献２】特開２００９‐２９２０３１号公報。
【特許文献３】特開２０１０‐００３１１３号公報。
【非特許文献】
【０００７】
【非特許文献１】ＪＷＮＥＴのＵＲＬ／http://www.jwnet.or.jp/jwnet/top.html
【発明の概要】
【発明が解決しようとする課題】
【０００８】
解決しようとする問題点は、電子Ｍにおいて、１日における同一廃棄物特に汚泥、解体等の複数回取引において安くて簡便なシステムがない点である。
【課題を解決するための手段】
【０００９】
本発明は、電子Ｍにおいて、１日における同一廃棄物特に汚泥、解体等の複数回取引において安くて簡便なシステムの運用を可能とするため、同一廃棄物の多量排出に対し、１枚の汚泥、解体向け電子Ｍ／ＣＳＶ登録用ＯＣＲパターン伝票の［図１］に、号車ＮＯの１巡回毎のデータを記入するか、［図２］に、１編隊を編成した号車ＮＯ毎のデータを記入させ、記入した伝票をＯＣＲで読取りＣＳＶデータに変換、変換したＣＳＶデータを電子Ｍ／Ｗｅｂ版のＣＳＶ登録により登録、安くて簡便な電子Ｍ／Ｗｅｂ版により電子Ｍに通信ネットワークを介して産業廃棄物の情報処理データを登録することを最も主要な特徴とする。
【発明の効果】
【００１０】
本発明の汚泥、解体向け電子Ｍ／ＣＳＶ登録用ＯＣＲパターン伝票は、１品目多量排出に対し運搬車両を複数回巡回させ巡回毎の取引内容を１枚の伝票に記載するか、編隊を組んで各運搬車両毎の取引内容を１枚の伝票に記載するかして、排出事業者は該伝票をＯＣＲで読取り電子Ｍ／Ｗｅｂ版のＣＳＶ登録により安くて簡便に登録でき、産業廃棄物処理業者は電子Ｍ／Ｗｅｂ版で簡単に報告きるという利点がある。
【図面の簡単な説明】
【００１１】
【図１】［図１］は電子Ｍ／ＣＳＶ登録用ＯＣＲパターン伝票／汚泥、解体向けの１品目多量排出・複数台数巡回用。（実施例１）
【図２】［図２］は電子Ｍ／ＣＳＶ登録用ＯＣＲパターン伝票／汚泥、解体向けの１品目多量排出・複数台数一括記入用。（実施例２）
【発明を実施するための形態】
【００１２】
１日における同一廃棄物特に汚泥、解体等の複数回取引において、本発明の伝票を使用し、使用した該伝票を自社のパソコンのＯＣＲソフトで読取り、次期電子マニフェストシステム／ＷｅｂのＣＳＶファイルレイアウト仕様（以下ＣＳＶファイルレイアウト仕様という）に準拠してＣＳＶデータに変換、変換した該ＣＳＶデータを自社のパソコンに設定した２０１０年５月４日から大幅にシステムが変更された電子Ｍ／Ｗｅｂ版のＣＳＶ読込みにより読込み、読み込んだＣＳＶファイルを電子Ｍ／Ｗｅｂ版のＣＳＶ登録により通信ネットワークを介して電子Ｍに登録、安くて簡便な電子Ｍシステムの運用を可能にするという目的を、排出事業者は少額な導入時の費用負担と少額なシステム維持管理費で運用できるシステムを実現した。
【００１３】
産業廃棄物処理業者は標準的なパソコン、Ｅｘｃｅｌ、プリンター、ＦＡＸに インターネット、メールがあれば導入時の費用負担もシステム維持管理費もナシで、かつ、電子Ｍにおいては該産業廃棄物処理業者のパソコンから電子Ｍ／Ｗｅｂ版により通信ネットワークを介して報告するという簡単なシステムは既に実現している。なお、電子Ｍ／Ｗｅｂ版システムは２０１０年５月４日から大幅に変更され実施されている。
【実施例１】
【００１４】
下記ＵＲＬは２０１０年５月４日から運用されている次期電子マニフェストシステム／ＷｅｂのＣＳＶファイルレイアウト仕様である。http://www.jwnet.or.jp/jwnet/pdf/jiki_csvr.pdf。
【００１５】
［図１］は、本発明の電子Ｍ／ＣＳＶ登録用ＯＣＲパターン伝票／汚泥、解体向けの１品目多量排出・複数台数巡回用（以下複数台数巡回用伝票という）であって、１日における同一廃棄物複数回取引において、排出事業者加入者端末が巡回後の複数台数巡回用伝票をＯＣＲで読取り、読取ったＣＳＶファイルを電子Ｍ／Ｗｅｂ版のＣＳＶ読込みで読込み、電子Ｍコンピュータへの加入者登録を行う、電子Ｍ／Ｗｅｂ版のＣＳＶ読込み・登録処理システム向けの複数台数巡回用の伝票である。
【００１６】
排出事業者端末に、下記の［００１７］から［００２５］を設定する。
【００１７】
［図１］のＩＤフィールドのＡに伝票区分コード（複数台数巡回用伝票は４とする）を、［図１］の２に号車ＮＯを、［図１］の３に廃棄物の種類コードを、［図１］の排出事業者欄の５の加入者番号と〒とＴＥＬと住所と社名、［図１］の排出事業場欄の６の事業場番号と〒とＴＥＬと住所と社名、［図１］の運搬受託者／収集運搬業者欄の７の加入者番号と〒とＴＥＬと住所と社名と積替保管の有無と運搬方法と許可番号を、［図１］の処分受託者／処分業者欄の８の加入者番号と〒とＴＥＬと住所と社名と許可番号を、［図１］の運搬先の事業場／処分業者の処理施設欄の９の事業場番号と〒とＴＥＬと住所と社名と処分方法と処分終了報告区分を、［図１］の１０に引渡
し日を、［図１］の１２に廃棄物の種類名を、［図１］の１４に単位コードを、［図１］の１５に荷姿コードを、［図１］の１６に数量の確定者コードを、［図１］の１７‐１から１７‐４に有害物質コードを、［図１］の１８に処分方法コードを、［図１］の１９にゼロを入力、入力したデータを記憶保存し複数台数巡回用伝票を発行する複数台数巡回用伝票発行手段。
【００１８】
上記複数台数巡回用伝票発行手段の入力過程において、入力された５の加入者番号、６事業場番号、７の加入者番号、８の加入者番号、９の事業場番号、３の廃棄物の種類コードの乗除によりパターン番号が生成され、生成されたパターン番号が発行される複数台数巡回用伝票の［図１］の１のパターン番号に自動的に入力されるパターン番号自動生成入力手段。
【００１９】
複数台数巡回用伝票発行手段とパターン番号自動生成入力手段により発行された本発明の複数台数巡回用伝票に、排出事業場において排出担当者は、巡回毎に、［図１］の１１‐１から１１‐５の欄に排出担当者氏名を、［図１］の１３‐１から１３‐５の欄に引渡した引渡し数量を、引渡し数量を記入した右隣の欄の運搬担当者氏名欄に収集運搬車両の運搬担当者氏名を、その右隣の欄の運搬車両番号欄に収集運搬車両の運搬車両番号を記入、なお、運搬担当者氏名と運搬車両番号は電子Ｍにおける排出事業者の登録必須項目ではないが、排出事業者の管理データとして記載する、そして、巡回終了後に［図１］のＩＤフィールドのＢに車両巡回により［図１］の４‐１から４‐５に記入された行数を記入、記入された本発明の複数台数巡回用伝票のＯＣＲ読取り時に、ＩＤフィールドＡの数字で伝票区分を判別し、次にＩＤフィールドＢの数字が１の場合は１巡目のＣＳＶファイル生成記憶保存手段により、ＩＤフィールドＢの数字が２の場合は２回巡回したＣＳＶファイル生成記憶保存手段により、ＩＤフィールドＢの数字が３の場合は３回巡回したＣＳＶファイル生成記憶保存手段により、ＩＤフィールドＢの数字が４の場合は４回巡回したＣＳＶファイル生成記憶保存手段により、ＩＤフィールドＢの数字が５の場合は５回巡回したＣＳＶファイル生成記憶保存手段により、複数台数巡回用伝票のＯＣＲ読取りを行い、巡回した台数分のＣＳＶファイルをＣＳＶファイルレイアウト仕様に準拠して生成する複数台数巡回用伝票ＯＣＲ読取／ＣＳＶファイル生成記憶保存手段。
【００２０】
複数台数巡回用伝票ＯＣＲ読取／ＣＳＶファイル生成記憶保存手段における本発明の複数台数巡回用伝票のＯＣＲ読取り時に、［図１］の１のパターン番号と３の廃棄物の種類コードと２の号車ＮＯと４の車両巡回ＮＯが連結、即ち、ＩＤフィールドＢの数字が１の場合は１が、ＩＤフィールドＢの数字が２の場合は２が、ＩＤフィールドＢの数字が３の場合は３が、ＩＤフィールドＢの数字が４の場合は４が、ＩＤフィールドＢの数字が５の場合は５が連結され１品目多量排出巡回用コードが生成され、生成された１品目多量排出巡回用コードが記憶保存される１品目多量排出巡回用コード生成記憶保存手段。
【００２１】
複数台数巡回用伝票ＯＣＲ読取／ＣＳＶファイル生成記憶保存手段における本発明の複数台数巡回用伝票のＯＣＲ読取り時に、複数台数巡回用伝票のＩＤフィールドＡの数字で伝票区分を、複数台数巡回用伝票のＩＤフィールドのＢの数字で記入された行数を判断し、Ｂが１の場合は、次期電子マニフェストシステム／ＷｅｂのＣＳＶファイルレイアウト仕様の項目ＮＯ１に［図１］のＩＤフィールドＡに記載された数字（例として４とする）と、複数台数巡回用伝票のＩＤフィールドのＢ（車両巡回が１巡目の場合は［図１］の４‐１の１とする）に記載された数字の２桁の数字（例としては４１となる）を、項目ＮＯ２に１品目多量排出巡回用コード生成記憶保存手段により生成された１品目多量排出巡回用コード、即ち、パターン番号‐廃棄物の種類コード‐号車ＮＯ‐１を、項目ＮＯ４に［図１］の１０の引渡し日を、項目ＮＯ５に［図１］の６の排出事業場の事業場番号を、項目ＮＯ６に［図１］の１１‐１の排出担当者氏名を、項目ＮＯ８に［図１］の３の廃棄物の種類コードを、項目ＮＯ９に［図１］の１２の廃棄物の種類名を、項目ＮＯ１０に［図１］の１３‐１の引渡し数量を、項目ＮＯ１１に［図１］の１４の廃棄物の単位コードを、項目ＮＯ１２に［図１］の１５の荷姿コードを、項目ＮＯ１４に［図１］の１６の数量の確定者コードを、項目ＮＯ１５に［図１］の１７‐１の有害物質コードを、項目ＮＯ１６に［図１］の１７‐２の有害物質コードを、項目ＮＯ１７に［図１］の１７‐３の有害物質コードを、項目ＮＯ１８に［図１］の１７‐４の有害物質コードを、項目ＮＯ２１に［図１］の７の収集運搬業者の加入者番号を、項目ＮＯ５６に［図１］の８の処分業者の加入者番号を、項目ＮＯ５８に［図１］の９の運搬先の事業場の事業場番号を、項目ＮＯ５９に［図１］の１８の処分方法コードを、項目ＮＯ６０には［図１］の１９の最終処分の場所（予定）所在地／名称の枠に０を設定し、次期電子マニフェストシステム／Ｗｅｂの１巡目のＣＳＶファイルをＣＳＶファイルレイアウト仕様に準拠して生成する１巡目のＣＳＶファイル生成記憶保存手段。
【００２２】
複数台数巡回用伝票ＯＣＲ読取／ＣＳＶファイル生成記憶保存手段における本発明の複数台数巡回用伝票のＯＣＲ読取り時に、ＩＤフィールドＢの数字が２、即ち、［図１］の４‐１の行と４‐２の行が記載されている場合は、ＣＳＶファイルレイアウト仕様に基づいて設定された［００２１］の１巡目のＣＳＶファイルに続いて、ＣＳＶファイルレイアウト仕様の項目ＮＯ１に［図１］のＩＤフィールドのＡ（例として４とする）とＩＤフィールドのＢ（車両巡回が２巡目の場合は［図１］の４‐２の２となる）に記載された２桁の数字を設定（例としては４２となる）し項目ＮＯ２に１品目多量排出巡回用コード生成記憶保存手段により生成された１品目多量排出巡回用コード、即ち、パターン番号‐廃棄物の種類コード‐号車ＮＯ‐２を、項目ＮＯ６に［図１］の１１‐２の排出担当者氏名を、項目ＮＯ１０に［図１］の１３‐２の引渡し数量を、上記項目ＮＯ１、項目ＮＯ２、項目ＮＯ６、項目ＮＯ１０以外は１巡目のＣＳＶファイルを設定して２巡目のＣＳＶファイルを生成し、次期電子マニフェストシステム／Ｗｅｂの２回巡回したＣＳＶファイル、即ち、１巡目のＣＳＶファイルと２巡目のＣＳＶファイルをＣＳＶファイルレイアウト仕様に準拠して生成する２回巡回したＣＳＶファイル生成記憶保存手段。
【００２３】
複数台数巡回用伝票ＯＣＲ読取／ＣＳＶファイル生成記憶保存手段における本発明の複数台数巡回用伝票のＯＣＲ読取り時に、ＩＤフィールドＢの数字が３、即ち、［図１］の４‐１の行と４‐２の行と４‐３の行が記載されている場合は、ＣＳＶファイルレイアウト仕様に基づいて設定された［００２２］の２回巡回したＣＳＶファイルに続いて、ＣＳＶファイルレイアウト仕様の項目ＮＯ１に［図１］のＩＤフィールドのＡ（例として４とする）とＩＤフィールドのＢ（車両巡回が３巡目の場合は［図１］の４‐３の３となる）に記載された２桁の数字を設定（例としては４３となる）し、項目ＮＯ２に１品目多量排出巡回用コード生成記憶保存手段により生成された１品目多量排出巡回用コード、即ち、パターン番号‐廃棄物の種類コード‐号車ＮＯ‐３を、項目ＮＯ６に［図１］の１１‐３の排出担当者氏名を、項目ＮＯ１０に［図１］の１３‐３の引渡し数量を、上記項目ＮＯ１、項目ＮＯ２、項目ＮＯ６、項目ＮＯ１０以外は１巡目のＣＳＶファイルを設定して３巡目のＣＳＶファイルを生成し、次期電子マニフェストシステム／Ｗｅｂの３回巡回したＣＳＶファイル、即ち、１巡目のＣＳＶファイルと２巡目のＣＳＶファイルと３巡目のＣＳＶファイルをＣＳＶファイルレイアウト仕様に準拠して生成する３回巡回したＣＳＶファイル生成記憶保存手段。
【００２４】
複数台数巡回用伝票ＯＣＲ読取／ＣＳＶファイル生成記憶保存手段における本発明の複数台数巡回用伝票のＯＣＲ読取り時に、ＩＤフィールドＢの数字が４、即ち、［図１］の４‐１の行と４‐２の行と４‐３の行と４‐４の行が記載されている場合は、ＣＳＶファイルレイアウト仕様に基づいて設定された［００２３］の３回巡回したＣＳＶファイルに続いて、ＣＳＶファイルレイアウト仕様の項目ＮＯ１に［図１］のＩＤフィールドのＡ（例として４とする）とＩＤフィールドのＢ（車両巡回が４巡目の場合は［図１］の４‐４の４となる）に記載された２桁の数字を設定（例としては４４となる）し、項目ＮＯ２に１品目多量排出巡回用コード生成記憶保存手段により生成された１品目多量排出巡回用コード、即ち、パターン番号‐廃棄物の種類コード‐号車ＮＯ‐４を、項目ＮＯ６に［図１］の１１‐４の排出担当者氏名を、項目ＮＯ１０に［図１］の１３‐４の引渡し数量を、上記項目ＮＯ１、項目ＮＯ２、項目ＮＯ６、項目ＮＯ１０以外は１巡目のＣＳＶファイルを設定して４巡目のＣＳＶファイルを生成し、次期電子マニフェストシステム／Ｗｅｂの４回巡回したＣＳＶファイル、即ち、１巡目のＣＳＶファイルと２巡目のＣＳＶファイルと３巡目のＣＳＶファイルと４巡目のＣＳＶファイルをＣＳＶファイルレイアウト仕様に準拠して生成する４回巡回したＣＳＶファイル生成記憶保存手段。
【００２５】
複数台数巡回用伝票ＯＣＲ読取／ＣＳＶファイル生成記憶保存手段における本発明の複数台数巡回用伝票のＯＣＲ読取り時に、ＩＤフィールドＢの数字が５、即ち、［図１］の４‐１の行と４‐２の行と４‐３の行と４‐４の行と４‐５の行が記載されている場合は、ＣＳＶファイルレイアウト仕様に基づいて設定された［００２４］の４回巡回したＣＳＶファイルに続いて、ＣＳＶファイルレイアウト仕様の項目ＮＯ１に［図１］のＩＤフィールドのＡ（例として４とする）とＩＤフィールドのＢ（車両巡回が５巡目の場合は［図１］の４‐５の５となる）に記載された２桁の数字を設定（例としては４５となる）し、項目ＮＯ２に１品目多量排出巡回用コード生成記憶保存手段により生成された１品目多量排出巡回用コード、即ち、パターン番号‐廃棄物の種類コード‐号車ＮＯ‐５を、項目ＮＯ６に［図１］の１１‐５の排出担当者氏名を、項目ＮＯ１０に［図１］の１３‐５の引渡し数量を、上記項目ＮＯ１、項目ＮＯ２、項目ＮＯ６、項目ＮＯ１０以外は１巡目のＣＳＶファイルを設定して５巡目のＣＳＶファイルを生成し、次期電子マニフェストシステム／Ｗｅｂの５回巡回したＣＳＶファイル、即ち、１巡目のＣＳＶファイルと２巡目のＣＳＶファイルと３巡目のＣＳＶファイルと４巡目のＣＳＶファイルと５巡目のＣＳＶファイルをＣＳＶファイルレイアウト仕様に準拠して生成する５回巡回したＣＳＶファイル生成記憶保存手段。
【００２６】
複数台数巡回用伝票ＯＣＲ読取／ＣＳＶファイル生成記憶保存手段における本発明の複数台数巡回用伝票のＯＣＲ読取りにより、巡回した台数分毎のＣＳＶファイルを生成し、生成したＣＳＶファイルを電子Ｍ／Ｗｅｂ版のＣＳＶ読込みにより読込み、読み込んだＣＳＶファイルを電子Ｍ／Ｗｅｂ版のＣＳＶ登録システムにより電子Ｍコンピュータへの加入者登録を行うか、あるいは、読み込んだＣＳＶファイルを電子Ｍ／ＥＤＩ版により電子Ｍコンピュータへの加入者登録を行えば産業廃棄物処理業界の大幅な省力化、電子Ｍの普及に効果がある。
【実施例２】
【００２７】
［図２］は電子Ｍ／ＣＳＶ登録用ＯＣＲパターン伝票／汚泥、解体向けの１品目多量排出・複数台数一括記入用（以下一括記入伝票という）である。
【００２８】
［図１］の２の号車ＮＯを編隊ＮＯに、［図１］の４‐１から４‐５の車両巡回ＮＯを号車ＮＯに変更し［図２］（一括記入伝票）を作成、一括記入伝票を使った同一廃棄物一括取引において、複数台数の収集運搬車両（本伝票の場合は５台まで）がそれぞれの取扱いデータ、即ち、排出担当者氏名、引渡し数量、運搬担当者氏名、運搬車両番号を４‐１から４‐５の自車両の号車ＮＯが記載されている行に記入し、記載されている号車ＮＯの収集運搬車両が編隊を組んで、先頭車両が記入した伝票を持って、排出事業場から運搬先の事業場／処分業者の処理施設に運搬すれば伝票は１枚で良い。
【００２９】
排出事業者加入者端末が［００２８］において記入した一括記入伝票を自社のパソコンのＯＣＲソフトで読取り、ＣＳＶファイルレイアウト仕様に準拠してＣＳＶデータに変換、変換した該ＣＳＶデータを自社のパソコンに設定した電子Ｍ／Ｗｅｂ版のＣＳＶ読込みにより読込み、読み込んだＣＳＶファイルを電子Ｍ／Ｗｅｂ版のＣＳＶ登録により通信ネットワークを介して電子Ｍに登録、安くて簡便な電子Ｍ登録システムの運用を可能にするという目的を実現した。
【００３０】
排出事業者端末に、下記の［００３１］から［００３３］と［００４０］から［００４５］を設定する。
【００３１】
［図２］のＩＤフィールドのＡに伝票区分コード（一括記入伝票は５とする）を、［図２］の２に編隊ＮＯを、［図２］の３に廃棄物の種類コードを、［図２］の４‐１から４‐５の行に編隊を構成する収集運搬車両の号車ＮＯを、［図２］のＩＤフィールドのＢに該４‐１から該４‐５に記載された編隊を構成する収集運搬車両の記載台数を、［図２］の排出事業者欄の５の加入者番号と〒とＴＥＬと住所と社名、［図２］の排出事業場欄の６の事業場番号と〒とＴＥＬと住所と社名、［図２］の運搬受託者／収集運搬業者欄の７の加入者番号と〒とＴＥＬと住所と社名と積替保管の有無と運搬方法と許可番号を、［図２］の処分受託者／処分業者欄の８の加入者番号と〒とＴＥＬと住所と社名と許可番号を、［図２］の運搬先の事業場／処分業者の処理施設欄の９の事業場番号と〒とＴＥＬと住所と社名と処分方法と処分終了報告区分を、［図２］の１０に引渡
し日を、［図２］の１２に廃棄物の種類名を、［図２］の１４に単位コードを、［図２］の１５に荷姿コードを、［図２］の１６に数量の確定者コードを、［図２］の１７‐１から１７‐４に有害物質コードを、［図２］の１８に処分方法コードを、［図２］の１９にゼロを入力、入力したデータを記憶保存し一括記入伝票を発行する一括記入伝票発行手段。
【００３２】
上記一括記入伝票発行手段の入力過程において、入力されたＡとＢにより構成されるＩＤフィールドの２桁の数字、５の加入者番号、６事業場番号、７の加入者番号、８の加入者番号、９の事業場番号、３の廃棄物の種類コードの乗除によりパターン番号が生成され、生成されたパターン番号が発行される一括記入伝票の１のパターン番号に自動的に入力される一括記入伝票パターン番号自動生成入力手段。
【００３３】
一括記入伝票発行手段において［図２］の１のパターン番号と３の廃棄物の種類コードと２の編隊ＮＯに加えてＩＤフィールドのＢの編隊を構成する収集運搬車両の記載台数をキーに該４‐１から該４‐５に記載された各収集運搬車両の号車ＮＯが連結され１品目多量排出編隊用コードが生成され、生成された該１品目多量排出編隊用コードが記憶保存される１品目多量排出編隊用コード生成記憶保存手段。
【００３４】
１品目多量排出編隊用コード生成記憶保存手段においてＩＤフィールドＢの数字が１の場合は４‐１に記載された号車ＮＯ（例として０１）をキーにパターン番号‐廃棄物の種類コード‐編隊ＮＯ‐０１が生成される。
【００３５】
１品目多量排出編隊用コード生成記憶保存手段においてＩＤフィールドＢの数字が２の場合はパターン番号‐廃棄物の種類コード‐編隊ＮＯ‐０１に続いて４‐２に記載された号車ＮＯ（例として０２）をキーにパターン番号‐廃棄物の種類コード‐編隊ＮＯ‐０２が生成される。
【００３６】
１品目多量排出編隊用コード生成記憶保存手段においてＩＤフィールドＢの数字が３の場合はパターン番号‐廃棄物の種類コード‐編隊ＮＯ‐０１およびパターン番号‐廃棄物の種類コード‐編隊ＮＯ‐０２に続いて４‐３に記載された号車ＮＯ（例として０３）をキーにパターン番号‐廃棄物の種類コード‐編隊ＮＯ‐０３が生成される。
【００３７】
１品目多量排出編隊用コード生成記憶保存手段においてＩＤフィールドＢの数字が４の場合はパターン番号‐廃棄物の種類コード‐編隊ＮＯ‐０１およびパターン番号‐廃棄物の種類コード‐編隊ＮＯ‐０２およびパターン番号‐廃棄物の種類コード‐編隊ＮＯ‐０３に続いて４‐４に記載された号車ＮＯ（例として０４）をキーにパターン番号‐廃棄物の種類コード‐編隊ＮＯ‐０４が生成される。
【００３８】
１品目多量排出編隊用コード生成記憶保存手段においてＩＤフィールドＢの数字が５の場合はパターン番号‐廃棄物の種類コード‐編隊ＮＯ‐０１およびパターン番号‐廃棄物の種類コード‐編隊ＮＯ‐０２およびパターン番号‐廃棄物の種類コード‐編隊ＮＯ‐０３およびパターン番号‐廃棄物の種類コード‐編隊ＮＯ‐０４に続いて４‐５に記載された号車ＮＯ（例として０５）をキーにパターン番号‐廃棄物の種類コード‐編隊ＮＯ‐０５が生成される。
【００３９】
一括記入伝票発行手段と一括記入伝票パターン番号自動生成入力手段により発行された本発明の一括記入伝票に、排出事業場において排出担当者は、該一括記入伝票の４‐１から４‐５の行に記入された各収集運搬車両の号車ＮＯ（本伝票の場合は５台まで）のそれぞれの取扱いデータ、即ち、該一括記入伝票の１１‐１から１１‐５の欄に該各収集運搬車両に廃棄物を引渡した排出担当者氏名、該一括記入伝票の１３‐１から１３‐５の欄に該各収集運搬車両に引渡した廃棄物の引渡し数量、引渡し数量を記入した右隣の欄の運搬担当者氏名欄に該各収集運搬車両の運搬担当者氏名、その右隣の欄の運搬車両番号欄に該各収集運搬車両の運搬車両番号を記入する。なお、運搬担当者氏名と運搬車両番号は電子Ｍにおける排出事業者の登録必須項目ではないが、排出事業者の管理データとして記載する。
【００４０】
［００３９］により記入された本発明の一括記入伝票のＩＤフィールドＡの数字（一括記入伝票は５とする）で伝票区分を判別し、次にＩＤフィールドのＢの数字で編隊を構成する収集運搬車両の記載台数を判断し、ＩＤフィールドＢの数字が１の場合は一括記入伝票１台口ＣＳＶファイル生成記憶保存手段により、ＩＤフィールドＢの数字が２の場合は一括記入伝票２台口ＣＳＶファイル生成記憶保存手段により、ＩＤフィールドＢの数字が３の場合は一括記入伝票３台口ＣＳＶファイル生成記憶保存手段により、ＩＤフィールドＢの数字が４の場合は一括記入伝票４台口ＣＳＶファイル生成記憶保存手段により、ＩＤフィールドＢの数字が５の場合は一括記入伝票５台口ＣＳＶファイル生成記憶保存手段により、該一括記入伝票のＯＣＲ読取りを行い、読取ったＣＳＶデータをＣＳＶファイルレイアウト仕様に準拠して生成する一括記入伝票ＯＣＲ読取ＣＳＶファイル生成記憶保存手段。  
【００４１】
一括記入伝票ＯＣＲ読取ＣＳＶファイル生成記憶保存手段における読取り時に、ＩＤフィールドＢの数字が１の場合はＣＳＶファイルレイアウト仕様の項目ＮＯ１に［図２］のＩＤフィールドＡに記載された数字（例として５とする）とＩＤフィールドのＢ（編隊を構成する収集運搬車両の記載台数が１台の場合は［図２］の４‐１の１とする）に記載された数字（例としては５１となる）を、項目ＮＯ２に［００３４］により生成された１品目多量排出編隊用コード、即ち、パターン番号‐廃棄物の種類コード‐編隊ＮＯ‐０１を、項目ＮＯ４に［図２］の１０の引渡し日を、項目ＮＯ５に［図２］の６の排出事業場の事業場番号を、項目ＮＯ６に［図２］の１１‐１の排出担当者氏名を、項目ＮＯ８に［図２］の３の廃棄物の種類コードを、項目ＮＯ９に［図２］の１２の廃棄物の種類名を、項目ＮＯ１０に［図２］の１３‐１の引渡し数量を、項目ＮＯ１１に［図２］の１４の廃棄物の単位コードを、項目ＮＯ１２に［図２］の１５の荷姿コードを、項目ＮＯ１４に［図２］の１６の数量の確定者コードを、項目ＮＯ１５に［図２］の１７‐１の有害物質コードを、項目ＮＯ１６に［図２］の１７‐２の有害物質コードを、項目ＮＯ１７に［図２］の１７‐３の有害物質コードを、項目ＮＯ１８に［図２］の１７‐４の有害物質コードを、項目ＮＯ２１に［図２］の７の収集運搬業者の加入者番号を、項目ＮＯ５６に［図２］の８の処分業者の加入者番号を、項目ＮＯ５８に［図２］の９の運搬先の事業場の事業場番号を、項目ＮＯ５９に［図２］の１８の処分方法コードを、項目ＮＯ６０には［図２］の１９の最終処分の場所（予定）所在地／名称の枠に０を設定し、次期電子マニフェストシステム／Ｗｅｂの０１号車のＣＳＶファイルをＣＳＶファイルレイアウト仕様に準拠して生成する一括記入伝票１台口ＣＳＶファイル生成記憶保存手段。
【００４２】
一括記入伝票ＯＣＲ読取ＣＳＶファイル生成記憶保存手段における読取り時に、ＩＤフィールドＢの数字が２、即ち、［図２］の４‐１の行と４‐２の行が記載されている場合は、ＣＳＶファイルレイアウト仕様に基づいて設定された［００４１］の０１号車のＣＳＶファイルに続いて、ＣＳＶファイルレイアウト仕様の項目ＮＯ１に［図２］のＩＤフィールドのＡ（例として５とする）とＩＤフィールドのＢ（車両が２台目の場合は［図２］の４‐２の２となる）に記載された数字を設定（例としては５２となる）し、項目ＮＯ２に［００３５］により生成された１品目多量排出編隊用コード、即ち、パターン番号‐廃棄物の種類コード‐編隊ＮＯ‐０２を、項目ＮＯ６に［図２］の１１‐２の排出担当者氏名を、項目ＮＯ１０に［図２］の１３‐２の引渡し数量を、上記項目ＮＯ１、項目ＮＯ２、項目ＮＯ６、項目ＮＯ１０以外は０１号車のＣＳＶファイルを設定して０２号車のＣＳＶファイルを生成し、０１号車のＣＳＶファイルと０２号車のＣＳＶファイルが設定された次期電子マニフェストシステム／Ｗｅｂの２台口のＣＳＶファイルをＣＳＶファイルレイアウト仕様に準拠して生成する一括記入伝票２台口ＣＳＶファイル生成記憶保存手段。
【００４３】
一括記入伝票ＯＣＲ読取ＣＳＶファイル生成記憶保存手段における読取り時に、ＩＤフィールドＢの数字が３、即ち、［図２］の４‐１の行と４‐２の行と４‐３の行が記載されている場合は、ＣＳＶファイルレイアウト仕様に基づいて設定された［００４２］の２台口のＣＳＶファイルに続いて、ＣＳＶファイルレイアウト仕様の項目ＮＯ１に［図２］のＩＤフィールドのＡ（例として５とする）とＩＤフィールドのＢ（車両が３台目の場合は［図２］の４‐３の３となる）に記載された２桁の数字を設定（例としては５３となる）し、項目ＮＯ２に［００３６］により生成された１品目多量排出編隊用コード、即ち、パターン番号‐廃棄物の種類コード‐編隊ＮＯ‐０３を、項目ＮＯ６に［図２］の１１‐３の排出担当者氏名を、項目ＮＯ１０に［図２］の１３‐３の引渡し数量を、上記項目ＮＯ１、項目ＮＯ２、項目ＮＯ６、項目ＮＯ１０以外は０１号車のＣＳＶファイルを設定して０３号車のＣＳＶファイルを生成し、０１号車のＣＳＶファイルと０２号車のＣＳＶファイルと０３号車のＣＳＶファイルが設定された次期電子マニフェストシステム／Ｗｅｂの３台口のＣＳＶファイルをＣＳＶファイルレイアウト仕様に準拠して生成する一括記入伝票３台口ＣＳＶファイル生成記憶保存手段。
【００４４】
一括記入伝票ＯＣＲ読取ＣＳＶファイル生成記憶保存手段における読取り時に、ＩＤフィールドＢの数字が４、即ち、［図２］の４‐１の行と４‐２の行と４‐３の行と４‐４の行が記載されている場合は、ＣＳＶファイルレイアウト仕様に基づいて設定された［００４３］の３台口のＣＳＶファイルに続いて、ＣＳＶファイルレイアウト仕様の項目ＮＯ１に［図２］のＩＤフィールドのＡ（例として５とする）とＩＤフィールドのＢ（車両が４台目の場合は［図２］の４‐４の４となる）に記載された２桁の数字を設定（例としては５４となる）し、項目ＮＯ２に［００３７］により生成された１品目多量排出編隊用コード、即ち、パターン番号‐廃棄物の種類コード‐編隊ＮＯ‐０４を、項目ＮＯ６に［図２］の１１‐４の排出担当者氏名を、項目ＮＯ１０に［図２］の１３‐４の引渡し数量を、上記項目ＮＯ１、項目ＮＯ２、項目ＮＯ６、項目ＮＯ１０以外は０１号車のＣＳＶファイルを設定して０４号車のＣＳＶファイルを生成し、０１号車のＣＳＶファイルと０２号車のＣＳＶファイルと０３号車のＣＳＶファイルと０４号車のＣＳＶファイルが設定された次期電子マニフェストシステム／Ｗｅｂの４台口のＣＳＶファイルをＣＳＶファイルレイアウト仕様に準拠して生成する一括記入伝票４台口ＣＳＶファイル生成記憶保存手段。
【００４５】
一括記入伝票ＯＣＲ読取ＣＳＶファイル生成記憶保存手段における読取り時に、ＩＤフィールドＢの数字が５、即ち、［図２］の４‐１の行と４‐２の行と４‐３の行と４‐４の行と４‐５の行が記載されている場合は、ＣＳＶファイルレイアウト仕様に基づいて設定された［００４４］の４台口のＣＳＶファイルに続いて、ＣＳＶファイルレイアウト仕様の項目ＮＯ１に［図２］のＩＤフィールドのＡ（例として５とする）とＩＤフィールドのＢ（車両が５台目の場合は［図２］の４‐５の５となる）に記載された２桁の数字を設定（例としては５５となる）し、項目ＮＯ２に［００３８］により生成された１品目多量排出編隊用コード、即ち、パターン番号‐廃棄物の種類コード‐編隊ＮＯ‐０５を、項目ＮＯ６に［図２］の１１‐５の排出担当者氏名を、項目ＮＯ１０に［図２］の１３‐５の引渡し数量を、上記項目ＮＯ１、項目ＮＯ２、項目ＮＯ６、項目ＮＯ１０以外は０１号車のＣＳＶファイルを設定して０５号車のＣＳＶファイルを生成し、０１号車のＣＳＶファイルと０２号車のＣＳＶファイルと０３号車のＣＳＶファイルと０４号車のＣＳＶファイルと０５号車のＣＳＶファイルが設定された次期電子マニフェストシステム／Ｗｅｂの５台口のＣＳＶファイルをＣＳＶファイルレイアウト仕様に準拠して生成する一括記入伝票５台口ＣＳＶファイル生成記憶保存手段。
【００４６】
一括記入伝票ＯＣＲ読取ＣＳＶファイル生成記憶保存手段における一括記入伝票のＯＣＲ読取りにより、編隊を構成する収集運搬車両の号車ＮＯ毎のＣＳＶファイルを生成し、生成したＣＳＶファイルを電子Ｍ／Ｗｅｂ版のＣＳＶ読込みにより読込み、読み込んだＣＳＶファイルを電子Ｍ／Ｗｅｂ版のＣＳＶ登録システムにより電子Ｍコンピュータへの加入者登録を行うか、あるいは、読み込んだＣＳＶファイルを電子Ｍ／ＥＤＩ版により電子Ｍコンピュータへの加入者登録を行えば産業廃棄物処理業界の大幅な省力化、電子Ｍの普及に効果がある。
【産業上の利用可能性】
【００４７】
１日における同一廃棄物複数回取引において、排出事業者加入者端末が、廃棄物引渡し時に記入した本発明の伝票をＯＣＲで読取り、読取ったＣＳＶファイルを電子Ｍ／Ｗｅｂ版のＣＳＶ読込みで読込み、電子Ｍコンピュータへの加入者登録を行えば、複数枚の受渡確認票を見ながら個々に電子Ｍ／Ｗｅｂ版で登録する膨大なパソコン操作が大幅に削減される。
【図１】
2011242886.tif 000003
【図２】
2011242886.tif 000004